(57)【特許請求の範囲】
【請求項１】
夫々が少なくともデータ記録エリアを備え且つ少なくとも一方がアドレス記録エリアを備える第１及び第２記録層を備える情報記録媒体に、データを書き換え可能に記録する情報記録装置であって、
複数種類の属性のうち記録される前記データに応じた一つの属性を細分化されたエリア単位毎に付与しながら、前記データを前記情報記録媒体の前記第１記録層及び前記第２記録層の前記データ記録エリアに対して所定データ単位で交互に記録する第１記録手段と、
(i)前記複数種類の属性のうちユーザデータが前記データとして記録されている状態を示すデータエリア属性が付与された連続する記録領域であって、且つ前記第１記録層における前記情報記録媒体の最内周側の端部に最も近接する記録領域の最外周側の端部のアドレス、及び(ii)前記データエリア属性が付与された連続する記録領域であって、且つ前記第２記録層における前記情報記録媒体の最内周側の端部に最も近接する記録領域の最外周側の端部のアドレスの夫々を前記情報記録媒体の前記アドレス記録エリアに記録する第２記録手段と、
前記情報記録媒体の所望の記録領域に対してフォーマット処理を施すフォーマット手段と、
前記データエリア属性が付与された連続する記録領域であって、且つ前記情報記録媒体の最内周側の端部に最も近接する記録領域の最外周側の端部よりも内周側に始端部を有し且つ外周側に終端部を有する記録領域に対して前記フォーマット処理を施す場合、前記データエリア属性が付与された連続する記録領域であって、且つ前記情報記録媒体の最内周側の端部に最も近接する記録領域の最外周側の端部から外周側に向けてフォーマット処理を開始するように前記フォーマット手段を制御する制御手段と
を備え、
前記第１記録層におけるアドレスは、内周側から外周側に向かうにつれて増加し、前記第２記録層におけるアドレスは、内周側から外周側に向かうにつれて減少し、
前記第１記録手段は、(i)前記第１記録層及び前記第２記録層の夫々の前記データ記録エリアに対して複数の前記所定データ単位での記録を行い、(ii)前記第１記録層においては内周側から外周側に向かって前記データを記録すると共に前記第２記録層においては外周側から内周側に向かって前記データを記録し、且つ(iii)前記データエリア属性が付与された前記データの記録が完了した場合に、当該データエリア属性が付与された前記データの外周側に、前記複数種類の属性のうちミドルエリアであることを示すミドルエリア属性が付与された前記データを記録することでシフテッドミドルエリアを形成し、
前記第２記録手段は、前記データエリア属性が付与された連続する記録領域であって、且つ前記第１記録層における前記情報記録媒体の最内周側の端部に最も近接する記録領域の最外周側の端部のアドレスとして、前記データエリア属性が付与された連続する記録領域であって、且つ前記第１記録層における前記データ記録エリアの最内周側の端部に最も近接する記録領域の最大アドレスを、前記アドレス記録エリアに記録し、
前記第２記録手段は、前記データエリア属性が付与された連続する記録領域であって、且つ前記第２記録層における前記情報記録媒体の最内周側の端部に最も近接する記録領域の最外周側の端部のアドレスとして、前記データエリア属性が付与された連続する記録領域であって、且つ前記第２記録層における前記データ記録エリアの最内周側の端部に最も近接する記録領域の最小アドレスを、前記アドレス記録エリアに記録し、
前記制御手段は、前記シフテッドエリアに対して前記フォーマット処理を行う場合には、前記データエリア属性が付与された前記データを前記シフテッドミドルエリアに上書きするように前記フォーマット手段を制御することを特徴とする情報記録装置。
【請求項２】
前記複数種類の属性は、リードインエリア属性、リードアウトエリア属性、前記データエリア属性及びミドルエリア属性のうち少なくとも一つを含むことを特徴とする請求項１に記載の情報記録装置。
【請求項３】
前記データ記録エリアに記録される前記データの記録及び再生の少なくとも一方を管理する管理データを記録する管理データ記録エリアを更に備えており、
前記アドレス記録エリアは、前記管理データ記録エリア中に位置することを特徴とする請求項１項に記載の情報記録装置。
【請求項４】
夫々が少なくともデータ記録エリアを備え且つ少なくとも一方がアドレス記録エリアを備える第１及び第２記録層を備える情報記録媒体に、データを書き換え可能に記録する情報記録方法であって、
複数種類の属性のうち記録される前記データに応じた一つの属性を細分化されたエリア単位毎に付与しながら、前記データを前記情報記録媒体の前記第１記録層及び前記第２記録層の前記データ記録エリアに対して所定データ単位で交互に記録する第１記録工程と、
(i)前記複数種類の属性のうちユーザデータが前記データとして記録されている状態を示すデータエリア属性が付与された連続する記録領域であって、且つ前記第１記録層における前記情報記録媒体の最内周側の端部に最も近接する記録領域の最外周側の端部のアドレス、及び(ii)前記データエリア属性が付与された連続する記録領域であって、且つ前記第２記録層における前記情報記録媒体の最内周側の端部に最も近接する記録領域の最外周側の端部のアドレスの夫々を前記情報記録媒体の前記アドレス記録エリアに記録する第２記録工程と、
前記情報記録媒体の所望の記録領域に対してフォーマット処理を施すフォーマット工程と、
前記データエリア属性が付与された連続する記録領域であって、且つ前記情報記録媒体の最内周側の端部に最も近接する記録領域の最外周側の端部よりも内周側に始端部を有し且つ外周側に終端部を有する記録領域に対して前記フォーマット処理を施す場合、前記データエリア属性が付与された連続する記録領域であって、且つ前記情報記録媒体の最内周側の端部に最も近接する記録領域の最外周側の端部から外周側に向けてフォーマット処理を開始するように前記フォーマット工程を制御する制御工程と
を備え、
前記第１記録層におけるアドレスは、内周側から外周側に向かうにつれて増加し、前記第２記録層におけるアドレスは、内周側から外周側に向かうにつれて減少し、
前記第１記録工程は、(i)前記第１記録層及び前記第２記録層の夫々の前記データ記録エリアに対して複数の前記所定データ単位での記録を行い、(ii)前記第１記録層においては内周側から外周側に向かって前記データを記録すると共に前記第２記録層においては外周側から内周側に向かって前記データを記録し、且つ(iii)前記データエリア属性が付与された前記データの記録が完了した場合に、当該データエリア属性が付与された前記データの外周側に、前記複数種類の属性のうちミドルエリアであることを示すミドルエリア属性が付与された前記データを記録することでシフテッドミドルエリアを形成し、
前記第２記録工程は、前記データエリア属性が付与された連続する記録領域であって、且つ前記第１記録層における前記情報記録媒体の最内周側の端部に最も近接する記録領域の最外周側の端部のアドレスとして、前記データエリア属性が付与された連続する記録領域であって、且つ前記第１記録層における前記データ記録エリアの最内周側の端部に最も近接する記録領域の最大アドレスを、前記アドレス記録エリアに記録し、
前記第２記録工程は、前記データエリア属性が付与された連続する記録領域であって、且つ前記第２記録層における前記情報記録媒体の最内周側の端部に最も近接する記録領域の最外周側の端部のアドレスとして、前記データエリア属性が付与された連続する記録領域であって、且つ前記第２記録層における前記データ記録エリアの最内周側の端部に最も近接する記録領域の最小アドレスを、前記アドレス記録エリアに記録し、
前記制御工程は、前記シフテッドエリアに対して前記フォーマット処理を行う場合には、前記データエリア属性が付与された前記データを前記シフテッドミドルエリアに上書きするように前記フォーマット工程を制御することを特徴とする情報記録方法。
【発明の詳細な説明】
【技術分野】
【０００１】
本発明は、例えばＤＶＤレコーダ等の情報記録装置及び方法の技術分野に関する。
【背景技術】
【０００２】
例えば、ＤＶＤ−ＲＯＭ（ＤＶＤ−Read Only Memory）、ＤＶＤ−Ｒ（ＤＶＤ−Recordable）、ＢＤ−ＲＯＭ等の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスク、例えば２層のＤＶＤ−Ｒディスクに記録を行う場合は、ＤＶＤレコーダ等の情報記録装置は、レーザ光の照射側から見て最も手前側（即ち、光ピックアップに近い側）に位置する記録層（本願では適宜「Ｌ０層」と称する）に対して記録用のレーザ光を集光することで、Ｌ０層に対してデータを熱変化記録方式（言い換えれば、非可逆記録方式）で記録し、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を熱変化記録方式で記録することになる。
【０００３】
【特許文献１】
特開２０００−３１１３４６号公報
【特許文献２】
特開２００１−２３２３７号公報
【発明の開示】
【発明が解決しようとする課題】
【０００４】
このような２層型の光ディスクにおいては、例えばＤＶＤ−ＲＷ等の書き換え可能な光ディスクの開発が進められている。書き換え可能な光ディスクでは、データを記録可能な状態にするためのフォーマット処理を施すことで、データの記録を開始することができる。フォーマット処理によって記録済みとなった領域に対しては別のデータをランダムに上書きすることが可能である。通常のフォーマット処理（通常フォーマット）ではリードインエリアとリードアウトエリアが形成され、且つ記録されたデータに続いてミドルエリアが形成される。これにより、ＤＶＤ−ＲＷ等の書き換え可能な光ディスクにおけるデータ構造と、ＤＶＤ−ＲＯＭ等の再生専用な光ディスクにおけるデータ構造とを概ね同様にすることができる。
【０００５】
また一方で、例えばＤＶＤ−ＲＷでは必要最小限の管理情報が記録されるクイックフォーマット処理が定義されている。クイックフォーマット処理されたＤＶＤ−ＲＷディスクは、記録済み領域の終端部からシーケンシャル記録を行っていくことが可能である。シーケンシャル記録され、記録済みになった領域も同様に別のデータをランダムに上書きすることが可能である。
【０００６】
そして、原則として一旦データが記録された又はフォーマット処理が行われた記録領域は、データが全く記録されていない（言い換えれば、記録マークが形成されていない）未記録の記録領域に戻されることはない。クイックフォーマットでは必要最小限の管理情報を記録することによりフォーマットの処理時間を大幅に短縮することが可能である反面、リードインが一部しか記録されておらず、またリードアウトに相当する領域が記録されていないため、再生専用機で読むことはできない。したがって再生専用機で読み込みを行うためには後述するファイナライズ処理が必要である。
【０００７】
ＣＤやＤＶＤ等の記録メディアでは、ユーザの要求に応じてディスクを再生専用機で再生可能なように記録状態を構成する必要がある。例えば、ＣＤ−ＲやＤＶＤ−Ｒで追記中のディスクは、再生専用機で再生可能にするためのファイナライズ処理が定義されており、ユーザの要求に応じて再生専用機がアクセスする範囲に未記録領域が残らないようにリードイン、リードアウトあるいはボーダーアウトを記録することになっている。これは、ＣＤやＤＶＤの場合、再生専用媒体と記録可能媒体で信号のトラッキング方式が異なるため、再生専用機が記録メディアの未記録部分にアクセスできないという問題があるためである。クイックフォーマット処理されたＤＶＤ−ＲＷのような記録媒体は、リードインに必要最小限のデータが記録されているだけなので再生専用機との互換をとるために上記ファイナライズ処理を行って完全なリードイン、ボーダーアウト、もしくはリードアウトを記録する必要がある。
【０００８】
また、２層型の記録可能媒体（光ディスク）においては、再生専用機との互換をとるために記録済みのＬ０層に対称の位置にあるＬ１層がすべて記録済みでなければならない。なぜなら、Ｌ０層上のある場所からＬ１層のある場所にジャンプする際に、ピックアップの移動系路上に未記録部分が存在してはならないからである。２層型の記録可能媒体では、ユーザから上記ファイナライズ処理の要求があったときに直ちに再生専用機器との互換状態にデータ記録領域を配置できるように、すなわち対応したＬ１層が記録済みになるように、Ｌ０層とＬ１層との夫々に対して、交互にデータを記録するレイヤージャンプ記録が主として行われる。レイヤージャンプ記録の一つの具体的な態様としては、あるサイズのデータを記録する場合には、その半分のサイズのデータをＬ０層に記録すると共に、残りの半分のサイズのデータをＬ１層に記録する。
【０００９】
レイヤージャンプ記録は、クイックフォーマット処理されたディスク、すなわち記録済み領域の終端部からシーケンシャル記録を行う際に使用される方法である。このようなレイヤージャンプ記録が行われる場合には、レイヤージャンプ記録により記録されたデータをＲＯＭドライブ等の情報再生装置で再生するために、上記ファイナライズ処理（言い換えれば、互換クローズ処理）が必要である。その結果、レイヤージャンプ記録により記録されたデータをＲＯＭドライブ等の情報再生装置で再生することができる。
【００１０】
更に、一旦通常フォーマット処理がされた後であっても、例えばミドルエリア等に対して上述のクイックフォーマット処理を施すことにより、一旦形成されたミドルエリアや該ミドルエリアに続くエリアに対しても、再度データを記録することもできる。
【００１１】
しかしながら、データの記録やフォーマット処理を繰り返すと、フォーマット処理を行う以前のディスクの状態を保持していた管理情報も初期化されてしまう、すなわち消えてしまうため、例えば、光ディスク上のいずれの記録領域がデータを既に記録した記録領域であるか、光ディスク上のいずれの記録領域が既にフォーマット処理が行われた記録領域であるか、光ディスク上のいずれの記録領域がミドルエリアであるか、或いは光ディスク上のいずれの記録領域が未だにデータが記録されていない記録領域であるか等を、明確に認識することができなくなる。
【００１２】
一方、ディスク上の各セクタには、そのセクタがどの領域に属しているかを示す情報が付加されている。この情報により、セクタがリードイン、データエリア、リードアウト、またはミドルエリアのどの領域に属しているのかを判別することができる。既にデータが記録されている或いは既にフォーマット処理が行われているデータ用の記録領域はデータエリアの属性をもつセクタで構成することになっている。従って、例えば、光ディスク上の所望の記録領域に対してフォーマット処理を行う場合に、既にデータが記録されている或いは既にフォーマット処理が行われている記録領域に対してはフォーマット処理を省略できるはずであるが、上記のようにフォーマット処理と記録が繰り返されたディスクでは、以前リードアウトもしくはミドルエリアが記録されていた領域の情報は保持されないため、重複的にフォーマット処理を行い、データエリア属性のデータを記録せざるを得なくなる。このため、フォーマット処理に不必要に多くの時間を要してしまう。
【００１３】
本発明は、例えば上述した従来の問題点に鑑みなされたものであり、例えば効率的なフォーマット処理を可能とならしめる情報記録装置及び方法を提供することを課題とする。
【課題を解決するための手段】
【００１５】
上記課題を解決するために、情報記録装置は、夫々が少なくともデータ記録エリアを備え且つ少なくとも一方がアドレス記録エリアを備える第１及び第２記録層を備える情報記録媒体に、データを書き換え可能に記録する情報記録装置であって、複数種類の属性のうち記録される前記データに応じた一つの属性を細分化されたエリア単位毎に付与しながら、前記データを前記情報記録媒体の前記第１記録層及び前記第２記録層の前記データ記録エリアに対して所定データ単位で交互に記録する第１記録手段と、(i)前記複数種類の属性のうちユーザデータが前記データとして記録されている状態を示すデータエリア属性が付与された連続する記録領域であって、且つ前記第１記録層における前記情報記録媒体の最内周側の端部に最も近接する記録領域の最外周側の端部のアドレス、及び(ii)前記データエリア属性が付与された連続する記録領域であって、且つ前記第２記録層における前記情報記録媒体の最内周側の端部に最も近接する記録領域の最外周側の端部のアドレスの夫々を前記情報記録媒体の前記アドレス記録エリアに記録する第２記録手段と、前記情報記録媒体の所望の記録領域に対してフォーマット処理を施すフォーマット手段と、前記データエリア属性が付与された連続する記録領域であって、且つ前記情報記録媒体の最内周側の端部に最も近接する記録領域の最外周側の端部よりも内周側に始端部を有し且つ外周側に終端部を有する記録領域に対して前記フォーマット処理を施す場合、前記データエリア属性が付与された連続する記録領域であって、且つ前記情報記録媒体の最内周側の端部に最も近接する記録領域の最外周側の端部から外周側に向けてフォーマット処理を開始するように前記フォーマット手段を制御する制御手段とを備え、前記第１記録層におけるアドレスは、内周側から外周側に向かうにつれて増加し、前記第２記録層におけるアドレスは、内周側から外周側に向かうにつれて減少し、前記第１記録手段は、(i)前記第１記録層及び前記第２記録層の夫々の前記データ記録エリアに対して複数の前記所定データ単位での記録を行い、(ii)前記第１記録層においては内周側から外周側に向かって前記データを記録すると共に前記第２記録層においては外周側から内周側に向かって前記データを記録し、且つ(iii)前記データエリア属性が付与された前記データの記録が完了した場合に、当該データエリア属性が付与された前記データの外周側に、前記複数種類の属性のうちミドルエリアであることを示すミドルエリア属性が付与された前記データを記録することでシフテッドミドルエリアを形成し、前記第２記録手段は、前記データエリア属性が付与された連続する記録領域であって、且つ前記第１記録層における前記情報記録媒体の最内周側の端部に最も近接する記録領域の最外周側の端部のアドレスとして、前記データエリア属性が付与された連続する記録領域であって、且つ前記第１記録層における前記データ記録エリアの最内周側の端部に最も近接する記録領域の最大アドレスを、前記アドレス記録エリアに記録し、前記第２記録手段は、前記データエリア属性が付与された連続する記録領域であって、且つ前記第２記録層における前記情報記録媒体の最内周側の端部に最も近接する記録領域の最外��側の端部のアドレスとして、前記データエリア属性が付与された連続する記録領域であって、且つ前記第２記録層における前記データ記録エリアの最内周側の端部に最も近接する記録領域の最小アドレスを、前記アドレス記録エリアに記録し、前記制御手段は、前記シフテッドエリアに対して前記フォーマット処理を行う場合には、前記データエリア属性が付与された前記データを前記シフテッドミドルエリアに上書きするように前記フォーマット手段を制御する。
【００１７】
上記課題を解決するために、情報記録方法は、夫々が少なくともデータ記録エリアを備え且つ少なくとも一方がアドレス記録エリアを備える第１及び第２記録層を備える情報記録媒体に、データを書き換え可能に記録する情報記録方法であって、複数種類の属性のうち記録される前記データに応じた一つの属性を細分化されたエリア単位毎に付与しながら、前記データを前記情報記録媒体の前記第１記録層及び前記第２記録層の前記データ記録エリアに対して所定データ単位で交互に記録する第１記録工程と、(i)前記複数種類の属性のうちユーザデータが前記データとして記録されている状態を示すデータエリア属性が付与された連続する記録領域であって、且つ前記第１記録層における前記情報記録媒体の最内周側の端部に最も近接する記録領域の最外周側の端部のアドレス、及び(ii)前記データエリア属性が付与された連続する記録領域であって、且つ前記第２記録層における前記情報記録媒体の最内周側の端部に最も近接する記録領域の最外周側の端部のアドレスの夫々を前記情報記録媒体の前記アドレス記録エリアに記録する第２記録工程と、前記情報記録媒体の所望の記録領域に対してフォーマット処理を施すフォーマット工程と、前記データエリア属性が付与された連続する記録領域であって、且つ前記情報記録媒体の最内周側の端部に最も近接する記録領域の最外周側の端部よりも内周側に始端部を有し且つ外周側に終端部を有する記録領域に対して前記フォーマット処理を施す場合、前記データエリア属性が付与された連続する記録領域であって、且つ前記情報記録媒体の最内周側の端部に最も近接する記録領域の最外周側の端部から外周側に向けてフォーマット処理を開始するように前記フォーマット工程を制御する制御工程とを備え、前記第１記録層におけるアドレスは、内周側から外周側に向かうにつれて増加し、前記第２記録層におけるアドレスは、内周側から外周側に向かうにつれて減少し、前記第１記録工程は、(i)前記第１記録層及び前記第２記録層の夫々の前記データ記録エリアに対して複数の前記所定データ単位での記録を行い、(ii)前記第１記録層においては内周側から外周側に向かって前記データを記録すると共に前記第２記録層においては外周側から内周側に向かって前記データを記録し、且つ(iii)前記データエリア属性が付与された前記データの記録が完了した場合に、当該データエリア属性が付与された前記データの外周側に、前記複数種類の属性のうちミドルエリアであることを示すミドルエリア属性が付与された前記データを記録することでシフテッドミドルエリアを形成し、前記第２記録工程は、前記データエリア属性が付与された連続する記録領域であって、且つ前記第１記録層における前記情報記録媒体の最内周側の端部に最も近接する記録領域の最外周側の端部のアドレスとして、前記データエリア属性が付与された連続する記録領域であって、且つ前記第１記録層における前記データ記録エリアの最内周側の端部に最も近接する記録領域の最大アドレスを、前記アドレス記録エリアに記録し、前記第２記録工程は、前記データエリア属性が付与された連続する記録領域であって、且つ前記第２記録層における前記情報記録媒体の最内周側の端部に最も近接する記録領域の最外��側の端部のアドレスとして、前記データエリア属性が付与された連続する記録領域であって、且つ前記第２記録層における前記データ記録エリアの最内周側の端部に最も近接する記録領域の最小アドレスを、前記アドレス記録エリアに記録し、前記制御工程は、前記シフテッドエリアに対して前記フォーマット処理を行う場合には、前記データエリア属性が付与された前記データを前記シフテッドミドルエリアに上書きするように前記フォーマット工程を制御する。
【００２１】
情報記録装置及び方法の作用及び他の利得は次に説明する実施の形態から明らかにされよう。
【図面の簡単な説明】
【００２２】
【図１】  本参考例に係る光ディスクの基本構造を示した概略平面図であり、該光ディスクの概略断面図と、これに対応付けられた、その半径方向における記録領域構造の図式的概念図である。
【図２】  光ディスクの概略断面図と、これに対応付けられた、その半径方向における記録領域構造の図式的概念図である。
【図３】  通常フォーマット処理が施された後の光ディスク１００のデータ構造を概念的に示す説明図、及びクイックフォーマット処理が施された後の光ディスク１００のデータ構造を概念的に示す説明図である。
【図４】  光ディスクの状態の遷移を概念的に示す図である。
【図５】  データが記録される際に付与される属性に関連するデータ構造を概念的に示すデータ構造図である。
【図６】  ＲＭＡに記録されるＲＭＤのデータ構造を概念的に示すデータ構造図である。
【図７】  ＲＭＤを構成するフィールド毎のデータ構造を、フォーマット２及びフォーマット３の夫々について概念的に示すデータ構造図である。
【図８】  フォーマット３のＲＭＤのフィールド３のデータ構造を示すデータ構造図である。
【図９】  アドレス記録エリアに記録されるＬ０層のフォーマットエリアの最外周アドレスと、アドレス記録エリアに記録されるＬ１層の最内周フォーマットエリアの最外周アドレスとの夫々が示す具体的な位置を示す説明図である。
【図１０】  本参考例に係る情報記録再生装置の基本的な構成を概念的に示すブロック図である。
【図１１】  クイックフォーマット処理が施された後の光ディスクの一のデータ構造を概念的に示す説明図である。
【図１２】  クイックフォーマット処理が施された後の光ディスクの他のデータ構造を概念的に示す説明図である。
【符号の説明】
【００２３】
１００  光ディスク
１０２  リードインエリア
１０３、１１３  ＲＭＡ
１０５、１１５  データエリア
１０６、１１６  シフテッドミドルエリア
１０９、１１９  固定ミドルエリア
１１８  リードアウトエリア
１０３１、１０３２  アドレス記録エリア
２００  情報記録再生装置
３００  ディスクドライブ
３５２  光ピックアップ
３５３  信号記録再生手段
３５４  ＣＰＵ
４００  ホストコンピュータ
【発明を実施するための最良の形態】
【００２４】
以下、情報記録装置及び方法の実施形態（更には、参考として、情報記録媒体の実施形態）の説明を進める。
（情報記録媒体の実施形態）
【００２５】
情報記録媒体に係る実施形態は、書き換え可能な記録媒体であって、複数種類の属性のうち記録されるデータに応じた一つの属性が、細分化されたエリア単位毎に付与されるデータ記録エリアと、前記複数種類の属性のうちユーザデータ（例えば、映画データや、音楽データや、ＰＣ用データ等のコンテンツデータ等であって、当該ユーザデータの記録や再生に必要な管理情報や制御情報と区別される）が前記データとして記録されている状態を示すデータエリア属性が付与された連続する記録領域であって、且つ前記データ記録エリアの最内周側の端部に最も近接する記録領域の最外周側の端部のアドレスを記録するアドレス記録エリアを備える。
【００２６】
情報記録媒体に係る実施形態によれば、情報記録媒体が備えるデータ記録エリアに、各種データを記録することができる。データ記録エリアにデータが記録される際には、細分化されたエリア単位毎に（例えば、後述のセクタ毎に）、該エリア単位に記録されるデータに応じた属性が付与される。
【００２７】
尚、本実施形態における「データ記録エリア」は、後述のデータエリア（更には、該データエリア中に形成されるシフテッドミドルエリアやミドルエリアを含む）を示すことを主として想定している。
【００２８】
本実施形態では特に、ユーザデータが記録されている状態を示すデータエリア属性が付与された連続する記録領域であって、且つデータ記録エリアの最内周側の端部（言い換えれば、情報記録媒体の最内周側）に最も近接する記録領域の最外周側の端部のアドレス（言い換えれば、終端部のアドレスであって、以降、適宜“終端アドレス”と称する）を記録するアドレス記録エリアを備えている。つまり、データエリア属性以外の他の属性が付与された記録領域が存在しない連続した記録領域の最外周側の端部のアドレスが、アドレス記録エリアに記録される。尚、アドレス記録エリアには、アドレスを直接的に記録するように構成してもよいし、アドレスを間接的に示す情報を、アドレスそのものに代えて記録するように構成してもよい。
【００２９】
特に、アドレス記録エリアには、情報記録媒体にフォーマット処理がなされた後であっても、データエリア属性が付与された連続する記録領域が情報記録媒体上に存在している限りは、データエリア属性が付与された連続する記録領域であって且つデータ記録エリアの最内周側の端部に最も近接する記録領域の最外周側の端部のアドレスが記録される。より具体的には、情報記録媒体にフォーマット処理がなされることによって、情報記録媒体上に記録されたデータが論理的に消去された状態になった後であっても、データエリア属性が付与された連続する記録領域が情報記録媒体上に物理的に存在している限りは、データエリア属性が付与された連続する記録領域であって且つデータ記録エリアの最内周側の端部に最も近接する記録領域の最外周側の端部のアドレスが記録される。つまり、アドレス記録エリアには、データエリア属性が付与され且つ情報記録媒体上に物理的に存在する連続した記録領域であって、データ記録エリアの最内周側の端部に最も近接する記録領域の最外周側の端部のアドレスが記録される。
【００３０】
このように終端アドレスを記録するアドレス記録エリアを備えているがゆえに、例えば、終端アドレスよりも内周側の記録領域には、既にデータエリア属性が付与されながらデータが記録されていることを好適に認識することができる。或いは、例えば、終端アドレスよりも内周側の記録領域には、例えば後述のミドルエリア属性が付与された記録領域が存在しないことを好適に認識することができる。従って、終端アドレスに跨る一定の記録領域に対してフォーマット処理を施す場合には、終端アドレスが示す位置よりも外周側の記録領域に対してフォーマット処理を施せば足りる。これにより、フォーマット処理が施される必要のない記録領域にまでフォーマット処理を施す必要がなくなり、その結果、フォーマット処理に要する時間を短縮することができ、効率的なフォーマット処理を施すことができる。
【００３１】
情報記録媒体に係る実施形態の一の態様は、前記アドレス記録エリアには、夫々に前記データエリア属性が付与され且つ夫々が連続した複数の記録領域のうち、前記データ記録エリアの最内周側の端部に最も近接する記録領域の最外周側の端部のアドレスが記録される。
【００３２】
この態様によれば、間にデータエリア属性以外の他の属性が付与された記録領域が存在しない連続した記録領域が複数存在していたとしても、その複数の記録領域のうち、データ記録エリアの最内周側の端部に最も近接する記録領域の最外周側の端部のアドレスが、アドレス記録エリアに記録される。データ記録エリアの最内周側の端部に最も近接する記録領域と、データ記録エリアの最内周側の端部に最も近接する記録領域以外の記録領域との間には、例えばミドルエリア属性が付与された記録領域が存在している可能性がある。他方、データ記録エリアの最内周側の端部に最も近接する記録領域よりも内周側には、ミドルエリア属性が付与された記録領域が存在している可能性は殆ど或いは全くない。従って、終端アドレスに跨る一定の記録領域に対してフォーマット処理を施す場合には、終端アドレスが示す位置よりも外周側の記録エリアに対してフォーマット処理を施せば足りる。これにより、フォーマット処理に要する時間を短縮することができ、効率的なフォーマット処理を施すことができる。
【００３３】
情報記録媒体に係る実施形態の他の態様は、夫々が少なくとも前記データ記録エリアを備え且つ少なくとも一方が前記アドレス記録エリアを備える第１記録層及び第２記録層を備えている。
【００３４】
この態様によれば、複数の記録層が積層されてなる情報記録媒体においても、上述した各種利益を享受することができる。
【００３５】
上述の如く第１記録層及び第２記録層を備える情報記録媒体の態様では、前記アドレス記録エリアには、(i)前記データエリア属性が付与された連続する記録領域であって、且つ前記第１記録層における前記データ記録エリアの最内周側の端部に最も近接する記録領域の最外周側の端部のアドレス、及び(ii)前記データエリア属性が付与された連続する記録領域であって、且つ前記第２記録層における前記データ記録エリアの最内周側の端部に最も近接する記録領域の最外周側の端部のアドレスの夫々が記録されるように構成してもよい。
【００３６】
このように構成すれば、第１記録層及び第２記録層の夫々に対して、上述の如く、フォーマット処理に要する時間を短縮することができ、効率的なフォーマット処理を施すことができる。
【００３７】
上述の如く第１記録層及び第２記録層を備える情報記録媒体の態様では、前記第１記録層におけるアドレスは、内周側から外周側に向かうにつれて増加し、前記第２記録層におけるアドレスは、内周側から外周側に向かうにつれて減少し、前記アドレス記録エリアには、(i)前記データエリア属性が付与された連続する記録領域であって、且つ前記第１記録層における前記データ記録エリアの最内周側の端部に最も近接する記録領域の最大アドレス、及び(ii)前記データエリア属性が付与された連続する記録領域であって、且つ前記第２記録層における前記データ記録エリアの最内周側の端部に最も近接する記録領域の最小アドレスの夫々が記録されるように構成してもよい。
【００３８】
このように構成すれば、オポジットトラックパス方式を採用する第１記録層及び第２記録層の夫々に対して、上述の如く、フォーマット処理に要する時間を短縮することができ、効率的なフォーマット処理を施すことができる。
【００３９】
情報記録媒体に係る実施形態の他の態様は、前記複数種類の属性は、リードインエリア属性、リードアウトエリア属性、前記データエリア属性及びミドルエリア属性のうち少なくとも一つを含む。
【００４０】
この態様によれば、情報記録媒体上の記録領域の属性を好適に識別することができる。
【００４１】
情報記録媒体に係る実施形態の他の態様は、前記データ記録エリアに記録される前記データの記録及び再生の少なくとも一方を管理する管理データを記録する管理データ記録エリアを更に備えており、前記アドレス記録エリアは、前記管理データ記録エリア中に位置する。
【００４２】
このように構成すれば、情報記録媒体上に、アドレス記録エリアを好適に設けることができる。
【００４３】
（情報記録装置の実施形態）
情報記録装置に係る実施形態は、夫々が少なくともデータ記録エリアを備え且つ少なくとも一方がアドレス記録エリアを備える第１及び第２記録層を備える情報記録媒体に、データを書き換え可能に記録する情報記録装置であって、複数種類の属性のうち記録される前記データに応じた一つの属性を細分化されたエリア単位毎に付与しながら、前記データを前記情報記録媒体の前記第１記録層及び前記第２記録層の前記データ記録エリアに対して所定データ単位で交互に記録する第１記録手段と、(i)前記複数種類の属性のうちユーザデータが前記データとして記録されている状態を示すデータエリア属性が付与された連続する記録領域であって、且つ前記第１記録層における前記情報記録媒体の最内周側の端部に最も近接する記録領域の最外周側の端部のアドレス、及び(ii)前記データエリア属性が付与された連続する記録領域であって、且つ前記第２記録層における前記情報記録媒体の最内周側の端部に最も近接する記録領域の最外周側の端部のアドレスの夫々を前記情報記録媒体の前記アドレス記録エリアに記録する第２記録手段と、前記情報記録媒体の所望の記録領域に対してフォーマット処理を施すフォーマット手段と、前記データエリア属性が付与された連続する記録領域であって、且つ前記情報記録媒体の最内周側の端部に最も近接する記録領域の最外周側の端部よりも内周側に始端部を有し且つ外周側に終端部を有する記録領域に対して前記フォーマット処理を施す場合、前記データエリア属性が付与された連続する記録領域であって、且つ前記情報記録媒体の最内周側の端部に最も近接する記録領域の最外周側の端部から外周側に向けてフォーマット処理を開始するように前記フォーマット手段を制御する制御手段とを備え、前記第１記録層におけるアドレスは、内周側から外周側に向かうにつれて増加し、前記第２記録層におけるアドレスは、内周側から外周側に向かうにつれて減少し、前記第１記録手段は、(i)前記第１記録層及び前記第２記録層の夫々の前記データ記録エリアに対して複数の前記所定データ単位での記録を行い、(ii)前記第１記録層においては内周側から外周側に向かって前記データを記録すると共に前記第２記録層においては外周側から内周側に向かって前記データを記録し、且つ(iii)前記データエリア属性が付与された前記データの記録が完了した場合に、当該データエリア属性が付与された前記データの外周側に、前記複数種類の属性のうちミドルエリアであることを示すミドルエリア属性が付与された前記データを記録することでシフテッドミドルエリアを形成し、
前記第２記録手段は、前記データエリア属性が付与された連続する記録領域であって、且つ前記第１記録層における前記情報記録媒体の最内周側の端部に最も近接する記録領域の最外周側の端部のアドレスとして、前記データエリア属性が付与された連続する記録領域であって、且つ前記第１記録層における前記データ記録エリアの最内周側の端部に最も近接する記録領域の最大アドレスを、前記アドレス記録エリアに記録し、前記第２記録手段は、前記データエリア属性が付与された連続する記録領域であって、且つ前記第２記録層における前記情報記録媒体の最内周側の端部に最も近接する記録領域の最外周側の端部のアドレスとして、前記データエリア属性が付与された連続する記録領域であって、且つ前記第２記録層における前記データ記録エリアの最内周側の端部に最も近接する記録領域の最小アドレスを、前記アドレス記録エリアに記録し、前記制御手段は、前記シフテッドエリアに対して前記フォーマット処理を行う場合には、前記データエリア属性が付与された前記データを前記シフテッドミドルエリアに上書きするように前記フォーマット手段を制御する。
【００４４】
情報記録装置に係る実施形態によれば、第１記録手段の動作により、情報記録媒体の第１記録層及び第２記録層のデータ記録エリアに対して所定データ単位で交互に、各種データを記録することができる。情報記録媒体にデータが記録される際には、細分化されたエリア単位毎に、該エリア単位に記録されるデータに応じた属性が付与される。更に、第１記録手段の動作により、第１記録層及び第２記録層の夫々のデータ記録エリアに対して複数の所定データ単位での記録が行われる。また、第１記録手段の動作により、第１記録層においては内周側から外周側に向かってデータが記録され、第２記録層においては外周側から内周側に向かってデータが記録される。また、第１記録手段の動作により、データエリア属性が付与されたデータの記録が完了した場合に、当該データエリア属性が付与されたデータの外周側に、ミドルエリア属性が付与されたデータを記録することでシフテッドミドルエリアが形成される。
【００４５】
第１実施形態では特に、第２記録手段の動作により、ユーザデータが記録されている状態を示すデータエリア属性が付与された連続する記録領域であって、且つ第１記録層におけるデータ記録エリアの最内周側の端部に最も近接する記録領域の最外周側の端部のアドレス（具体的には、当該記録領域の最大アドレス）が情報記録媒体のアドレス記録エリアに記録される。加えて、第２記録手段の動作により、データエリア属性が付与された連続する記録領域であって、且つ第２記録層におけるデータ記録エリアの最内周側の端部に最も近接する記録領域の最外周側の端部のアドレス（具体的には、当該記録領域の最小アドレス）が情報記録媒体のアドレス記録エリアに記録される。このため、上述した情報記録媒体に係る実施形態と同様に、終端アドレスに跨る一定の記録領域に対してフォーマット処理を施す場合には、制御手段の動作により、終端アドレスが示す位置よりも外周側の記録領域に対してフォーマット処理を施せば足りる。これにより、フォーマット処理が施される必要のない記録エリアにまでフォーマット処理を施す必要がなくなり、その結果、フォーマット処理に要する時間を短縮することができ、効率的なフォーマット処理を施すことができる。尚、フォーマット手段は、シフテッドエリアに対してフォーマット処理を行う場合には、データエリア属性が付与されたデータをシフテッドミドルエリアに上書きする。
【００４６】
尚、上述した情報記録媒体に係る実施形態における各種態様に対応して、情報記録装置に係る実施形態も各種態様を採ることが可能である。
【００４８】
加えて、情報記録装置に係る実施形態によれば、上述した情報記録媒体に係る実施形態に対して好適に記録動作を行うことができると共に、上述した各種利益を享受することができる。
【００５０】
加えて、情報記録装置に係る実施形態によれば、複数の記録層が積層されてなる情報記録媒体においても、上述した各種利益を享受することができる。
【００５２】
加えて、情報記録装置に係る実施形態によれば、制御手段の動作により、終端アドレスに跨る一定の記録エリアに対してフォーマット処理を施す場合には、終端アドレスが示す位置よりも外周側の記録エリアに対してフォーマット処理が選択的に施される。これにより、フォーマット処理が施される必要のない記録エリアにまでフォーマット処理を施す必要がなくなり、その結果、フォーマット処理に要する時間を短縮することができ、効率的なフォーマット処理を施すことができる。
【００５７】
（情報記録方法の実施形態）
情報記録方法に係る実施形態は、夫々が少なくともデータ記録エリアを備え且つ少なくとも一方がアドレス記録エリアを備える第１及び第２記録層を備える情報記録媒体に、データを書き換え可能に記録する情報記録方法であって、複数種類の属性のうち記録される前記データに応じた一つの属性を細分化されたエリア単位毎に付与しながら、前記データを前記情報記録媒体の前記第１記録層及び前記第２記録層の前記データ記録エリアに対して所定データ単位で交互に記録する第１記録工程と、(i)前記複数種類の属性のうちユーザデータが前記データとして記録されている状態を示すデータエリア属性が付与された連続する記録領域であって、且つ前記第１記録層における前記情報記録媒体の最内周側の端部に最も近接する記録領域の終端部のアドレス、及び(ii)前記データエリア属性が付与された連続する記録領域であって、且つ前記第２記録層における前記情報記録媒体の最内周側の端部に最も近接する記録領域の最外周側の端部のアドレスの夫々を前記情報記録媒体の前記アドレス記録エリアに記録する第２記録工程と、前記情報記録媒体の所望の記録領域に対してフォーマット処理を施すフォーマット工程と、前記データエリア属性が付与された連続する記録領域であって、且つ前記情報記録媒体の最内周側の端部に最も近接する記録領域の最外周側の端部よりも内周側に始端部を有し且つ外周側に終端部を有する記録領域に対して前記フォーマット処理を施す場合、前記データエリア属性が付与された連続する記録領域であって、且つ前記情報記録媒体の最内周側の端部に最も近接する記録領域の最外周側の端部から外周側に向けてフォーマット処理を開始するように前記フォーマット工程を制御する制御工程とを備え、前記第１記録層におけるアドレスは、内周側から外周側に向かうにつれて増加し、前記第２記録層におけるアドレスは、内周側から外周側に向かうにつれて減少し、前記第１記録工程は、(i)前記第１記録層及び前記第２記録層の夫々の前記データ記録エリアに対して複数の前記所定データ単位での記録を行い、(ii)前記第１記録層においては内周側から外周側に向かって前記データを記録すると共に前記第２記録層においては外周側から内周側に向かって前記データを記録し、且つ(iii)前記データエリア属性が付与された前記データの記録が完了した場合に、当該データエリア属性が付与された前記データの外周側に、前記複数種類の属性のうちミドルエリアであることを示すミドルエリア属性が付与された前記データを記録することでシフテッドミドルエリアを形成し、前記第２記録工程は、前記データエリア属性が付与された連続する記録領域であって、且つ前記第１記録層における前記情報記録媒体の最内周側の端部に最も近接する記録領域の最外周側の端部のアドレスとして、前記データエリア属性が付与された連続する記録領域であって、且つ前記第１記録層における前記データ記録エリアの最内周側の端部に最も近接する記録領域の最大アドレスを、前記アドレス記録エリアに記録し、前記第２記録工程は、前記データエリア属性が付与された連続する記録領域であって、且つ前記第２記録層における前記情報記録媒体の最内周側の端部に最も近接する記録領域の最外周側の端部のアドレス��して、前記データエリア属性が付与された連続する記録領域であって、且つ前記第２記録層における前記データ記録エリアの最内周側の端部に最も近接する記録領域の最小アドレスを、前記アドレス記録エリアに記録し、前記制御工程は、前記シフテッドエリアに対して前記フォーマット処理を行う場合には、前記データエリア属性が付与された前記データを前記シフテッドミドルエリアに上書きするように前記フォーマット工程を制御する。
【００５８】
情報記録方法に係る実施形態によれば、上述した情報記録装置に係る実施形態が有する各種利益と同様の利益を享受することができる。
【００５９】
尚、上述した情報記録装置に係る実施形態における各種態様に対応して、情報記録方法に係る実施形態も各種態様を採ることが可能である。
【００７５】
本実施形態のこのような作用及び他の利得は次に説明する参考例から更に明らかにされよう。
【００７６】
以上説明したように、情報記録装置に係る実施形態によれば、第１記録手段と、第２記録手段とを備える。情報記録方法に係る実施形態によれば、第１記録工程と、第２記録工程とを備える。従って、効率的なフォーマット処理が可能となる。
【００７７】
以下、参考例を図面に基づいて説明する。
【００７８】
初めに、図１を参照して、情報記録媒体に係る参考例としての光ディスク１００について説明を進める。ここに、図１（ａ）は、本参考例に係る光ディスク１００の基本構造を示した概略平面図であり、図１（ｂ）は、該光ディスク１００の概略断面図と、これに対応付けられた、その半径方向における記録領域構造の図式的概念図である。
【００７９】
図１（ａ）及び図１（ｂ）に示されるように、光ディスク１００は、例えば、ＤＶＤと同じく直径１２ｃｍ程度のディスク本体上の記録面に、センターホール１０１を中心として、リードインエリア（Lead-In Area）１０２又はリードアウトエリア（Lead-Out Area）１１８、データエリア１０５及び１１５、固定ミドルエリア（Fixed Middle Area）１０９及び１１９が設けられている。そして、光ディスク１００は、透明基板１１０上に記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なデータ管理単位である。
【００８０】
尚、本参考例は、このような三つのエリアを有する光ディスクには特に限定されない。例えば、リードインエリア１０２、リードアウトエリア１１８又は固定ミドルエリア１０９（１１９）が存在せずとも、以下に説明するデータ構造等の構築は可能である。また、リードインエリア１０２、リードアウトエリア１１８又は固定ミドルエリア１０９（１１９）は更に細分化された構成であってもよい。
【００８１】
特に、本参考例に係る光ディスク１００は、図１（ｂ）に示されるように、例えば、透明基板１１０に、第１及び第２記録層の一例を構成するＬ０層及びＬ１層が積層された構造をしている。このような２層型の光ディスク１００の記録再生時には、図１（ｂ）中、下側から上側に向かって照射されるレーザ光ＬＢの集光位置をいずれの記録層に合わせるかに応じて、Ｌ０層におけるデータの記録再生が行なわれるか又はＬ１層におけるデータの記録再生が行われる。特に、Ｌ０層においては内周側から外周側に向かってデータが記録され、他方Ｌ１層においては外周側から内周側に向かってデータが記録される。即ち、本参考例に係る光ディスク１００は、オポジットトラックパス方式の光ディスクに相当する。但し、パラレルトラックパス方式の光ディスクであっても、以下に説明する構成を採用することで、以下に述べる各種利益を享受することができる。
【００８２】
そして、本参考例に係る光ディスク１００においては、Ｌ０層とＬ１層の夫々に交互にデータを記録するレイヤージャンプ記録が採用されている。レイヤージャンプ記録について具体的に説明すると、Ｌ０層の一部の記録領域にデータを記録した後、該Ｌ０層の一部の記録領域に対向するＬ１層の一部の記録領域にデータを記録する。その後、Ｌ０層の他の一部の記録領域にデータを記録した後、該Ｌ０層の他の一部の記録領域に対向するＬ１層の他の一部の記録領域にデータを記録する。以降は、この動作が繰り返される。
【００８３】
また、本参考例に係る光ディスク１００は、リードインエリア１０２及びリードアウトエリア１１８の更に内周側に、ＲＭＡ（Recording Management Area：記録管理エリア）１０３（１１３）を備えている。
【００８４】
ＲＭＡ１０３（１１３）は、光ディスク１００へのデータの記録を管理するためのＲＭＤ（Recording Management Data：記録管理データ）を記録するための記録エリアである。ＲＭＤのより具体的なデータ構造については、後に詳述する（図６から図８参照）。
【００８５】
また、本参考例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。
【００８６】
尚、固定ミドルエリア１０９（１１９）は、データエリア１０５（１１５）の全体にデータが記録された後に、例えばＤＶＤ−ＲＯＭ等の再生専用の光ディスクと本参考例に係る光ディスク１００との互換性を図るために形成される。つまり、２層型の再生専用の光ディスク上のエリア構造と、本参考例に係る光ディスク１００上のエリア構造とを、同様にするために、固定ミドルエリア１０９（１１９）が形成される。加えて、固定ミドルエリア１０９（１１９）は、データエリア１０５（１１５）の全体にデータが記録された後に、記録層を変更するためのレイヤージャンプを行う際の或いは固定ミドルエリア１０９（１１９）付近へアクセスする際の、光ピックアップの未記録エリア（具体的には、固定ミドルエリア１０９（１１９）の外周側）への飛び出しを防止するための機能を有する。データエリア１０５（１１５）の一部にしかデータが記録されていない場合には、固定ミドルエリア１０９（１１５）に代えて、シフテッドミドルエリア（shifted Middle Area）１０６（１１６）が用いられる。
【００８７】
ここで、図２を参照して、シフテッドミドルエリア１０６（１１６）について説明する。ここに、図２は、該光ディスク１００の概略断面図と、これに対応付けられた、その半径方向における記録領域構造の図式的概念図である。
【００８８】
図２に示すように、シフテッドミドルエリア１０６は、データエリア１０５の一部に記録されたデータに続けてデータエリア１０５内に設けられる。同様に、シフテッドミドルエリア１１６は、データエリア１１５の一部に記録されたデータに続けてデータエリア１１５内に設けられる。
【００８９】
シフテッドミドルエリア１０６（１１６）が設けられることで、データエリア１０５（１１５）の一部にしかデータが記録されていない場合であっても、ＤＶＤ−ＲＯＭ等の再生専用の光ディスクと本参考例に係る光ディスク１００との互換性を図ることができる。加えて、レイヤージャンプを行う際の光ピックアップの、未記録エリアへの飛び出しを防止することができる。また、レイヤージャンプを行わない場合であっても、光ピックアップの、シフテッドミドルエリア１０６（１１６）よりも外周側の未記録エリア）への飛び出しを防止することができる。このため、再生専用型の情報再生装置は、当該光ディスク１００に記録されたデータを再生することができる。
【００９０】
つまり、シフテッドミドルエリア１０６（１１６）は、データエリア１０５（１１５）の一部にしかデータが記録されていない場合における、光ピックアップの飛び出しを防止する機能と、再生専用型の光ディスクとの互換性を保つ機能との双方を有している。特に、レイヤージャンプ記録を行う場合には、データエリア１０５（１１５）の一部にしかデータが記録されないことが多々生じ得る。従って、シフテッドミドルエリア１０６（１１６）は、レイヤージャンプ記録を行う際に特に有効に用いられる。
【００９１】
他方で、固定ミドルエリア１０９（１１９）は、データエリア１０５（１１５）の全体にデータが記録された場合における、光ピックアップの飛び出しを防止する機能と、再生専用型の光ディスクとの互換性を保つ機能との双方を有している。
【００９２】
リードインエリア１０２や、リードアウトエリア１１８や、固定ミドルエリア１０９（１１９）や、シフテッドミドルエリア１０６（１１６）には、光ディスク１００に対して通常フォーマット処理が施されることで、所定のデータ（例えば、各種制御データや、“００ｈ”等のパディングデータ等）が記録される。更には、光ディスク１００には、通常フォーマット処理に加えて、必要最小限の管理情報のみを記録してデータの記録を開始するためのクイックフォーマット処理も施される。
【００９３０】
ここで、図３及び図４を参照して、通常フォーマット処理及びクイックフォーマット処理について具体的に説明する。ここに、図３は、通常フォーマット処理が施された後の光ディスク１００のデータ構造を概念的に示す説明図（図３（ａ））、及びクイックフォーマット処理が施された後の光ディスク１００のデータ構造を概念的に示す説明図（図３（ｂ））であり、図４は、光ディスク１００の状態の遷移を概念的に示す図である。
【００９４】
図３（ａ）に示すように、通常フォーマット処理が施される場合、リードインエリア１０２にリードインエリア属性を付与しながら所定のデータを記録し、リードアウトエリア１１８にリードアウト属性を付与しながら所定のデータを記録する。
【００９５】
また、データエリア１０５に記録されたデータに続く記録領域に、ミドルエリア属性を付与しながら所定のデータを記録することで、シフテッドミドルエリア１０６を形成し、データエリア１１５に記録されたデータに続く記録領域に、ミドルエリア属性を付与しながら所定のデータを記録することで、シフテッドミドルエリア１１６を形成する。或いは、後述のホストコンピュータ等から要求されたフォーマットサイズに応じて、データエリア１０５（１１５）にデータエリア属性を付与しながら所定のデータを記録し、該記録されたデータに続いて、シフテッドミドルエリア１０６（１１６）を形成するように構成してもよい。
【００９６】
このように通常フォーマット処理を施すことで、光ディスク１００上のエリア構成と、再生専用型の光ディスク上のエリア構成とを、概ね同一にすることができる。図３（ａ）に示す光ディスク１００の状態を、“コンプリート状態”と称する。
【００９７】
他方、図３（ｂ）に示すように、クイックフォーマット処理が施される場合、リードインエリア１０２には、必要最小限のデータが、データエリア属性を付与しながら記録される。また、後述のホストコンピュータ等から要求されたフォーマットサイズに応じて、データエリア１０５（或いは、１１５）に、データエリア属性を付与しながら必要に応じて所定のデータを記録し、該記録されたデータに続いて、３２ＥＣＣブロックのサイズを有する中間リードアウトエリア１０８が形成される。中間リードアウトエリア１０８には、リードアウトエリア属性が付与されながら、必要に応じて所定のデータが記録される。図３（ｂ）に示す光ディスク１００の状態を、“中間状態”と称する。
【００９８】
クイックフォーマット処理を施すことで、データエリア属性が付与されたデータエリア１０５の一部の記録領域に、データを記録することができる。より具体的には、データが記録されていない記録領域（言い換えれば、何の属性も付与されていない記録領域）においては、データをシーケンシャルに（言い換えれば、内周側から外周側に向かって連続的に）記録する必要がある。つまり、次にデータを記録可能な記録領域を示すＮＷＡ（Next Writable Address）が、データが記録されていない記録領域の先頭部分を示しているため、ＮＷＡよりも外周側の記録領域においては、ＮＷＡが示す記録領域から順に（即ち、シーケンシャルに）データを記録する必要がある。しかしながら、ＮＷＡが示す位置よりも内周側に位置するデータエリア属性が付与された記録領域においては、所望の位置に（即ち、ランダムに）データを記録することができる。このように、クイックフォーマット処理は、ＮＷＡを更新して、データを記録可能な記録領域を拡大する機能も有している。
【００９９】
そして、クイックフォーマット処理が施された光ディスク１００は、通常フォーマット処理が行われた場合と違って、リードインエリア１０２やリードアウトエリア１１８等に、必要なデータが全て記録されていない。従って、クイックフォーマット処理を施した後には、更にファイナライズ処理が施されることで、光ディスク１００上のデータの記録の態様に応じた各種管理情報ないしは各種制御情報が、リードインエリア１０２やリードアウトエリア１１８等に記録される。更に、記録されたデータに続いてシフテッドミドルエリア１０６（１１６）や固定ミドルエリア１０９（１１９）が形成されると共に、リードインエリア１０２とシフテッドミドルエリア１０６（ないしは、固定ミドルエリア１０９）との間の未記録エリア及びリードアウトエリア１０２とシフテッドミドルエリア１１６（ないしは、固定ミドルエリア１１９）との間の未記録エリアに、例えば“００ｈ”データ等のパディングデータが記録される。これにより、本参考例に係る光ディスク１００を、再生専用型の情報再生装置において再生することができる。
【０１００】
尚、光ディスク１００に記録するデータのサイズによっては、Ｌ０層に記録されるデータのサイズと、Ｌ１層に記録されるデータのサイズとが同一にならない場合があり得る。具体的には、例えばＬ０層の内周側から外周側に向かってｘＧＢのデータが記録され、レイヤージャンプした後に、Ｌ１層の外周側から内周側に向かってｘ／２ＭＢのデータが記録される場合があり得る。この場合、データが既に記録されているＬ０層の記録領域に対向するＬ１層には、データが記録されていない記録領域が存在している。他方で、データを安定的に再生するという観点からは、データが既に記録されているＬ０層の記録領域に対向するＬ１層の記録領域には、何らかのデータが記録されている（言い換えれば、ミラー状態でない）必要がある。従って、データが既に記録されているＬ０層の記録領域に対向し、且つデータが記録されていないＬ１層の記録領域には、データエリア属性を付与しながら所定のデータを記録する必要がある。或いは、データが既に記録されているＬ０層の記録領域に対向し、且つデータが記録されていないＬ１層の記録領域には、リードアウトエリア属性を付与しながら所定のデータ（即ち、パディングデータ等）を記録するように構成してもよい。
【０１０１】
また、図３（ａ）に示すコンプリート状態の光ディスク１００に対して、シフテッドミドルエリア１０６（１１６）等にデータエリア属性を付与しながら所定のデータを記録するクイックフォーマット処理を施せば、一旦コンプリート状態になった光ディスク１００に再度データを記録することができる。このように、コンプリート状態になった光ディスク１００に再度データを記録するために施すクイックフォーマット処理を、クイックグローフォーマット処理とも称することができる。
【０１０２】
図４に示すように、データが記録されていないブランクな光ディスク１００に対して通常フォーマット処理を施すことで、光ディスク１００の状態を、図３（ａ）に示すコンプリート状態に遷移させることができる。同様に、新しい光ディスク１００に対してクイックフォーマット処理を施すことで、光ディスク１００の状態を、図３（ｂ）に示す中間状態に遷移させることができる。
【０１０３】
コンプリート状態に遷移した光ディスク１００に通常フォーマット処理を施すことで、光ディスク１００の状態を、図３（ａ）に示すコンプリート状態のまま維持することができる。また、コンプリート状態に遷移した光ディスク１００にクイックフォーマット処理（言い換えれば、クイックグローフォーマット処理）を施すことで、光ディスク１００の状態を、図３（ｂ）に示す中間状態に遷移させることができる。
【０１０４】
中間状態に遷移した光ディスク１００にクイックフォーマット処理を施すことで、光ディスク１００の状態を、図３（ｂ）に示す中間状態のまま維持することができる。また、中間状態に遷移した光ディスク１００に通常フォーマット処理を施すことで、光ディスク１００の状態を、図３（ｂ）に示すコンプリート状態に遷移させることができる。
【０１０５】
続いて、図５を参照して、データが記録される際に付与される属性について具体的に説明する。ここに、図５は、データが記録される際に付与される属性に関連するデータ構造を概念的に示すデータ構造図である。
【０１０６】
属性は、２４１８バイトのサイズを有する物理セクタ毎に、当該物理セクタに記録されるデータに応じて、付与される。一つの物理セクタは、５２バイトのサイズを有するシンク（ＳＹＮＣ）コードと、３０２バイトのサイズを有するＥＣＣ（Error Correction Code）と、２０４８バイトのサイズを有するユーザデータと、４バイトのサイズを有するデータＩＤと、２バイトのサイズを有するＩＥＤと、６バイトのサイズを有するＣＰＲ＿ＭＡＩと、４バイトのサイズを有するＥＤＣとにより構成される。そして、属性は、データＩＤ中に記録される。
【０１０７】
具体的には、図５に示すように、４バイトのサイズを有するデータＩＤは、１バイトのサイズを有するセクタ情報（Sector Information）と、３バイトのサイズを有するセクタ番号（Sector Number）とを含んでいる。
【０１０８】
１バイトのサイズを有するセクタ情報は、１ビットのサイズを有するセクタフォーマットタイプ（Sector Format Type）と、１ビットのサイズを有するトラッキング方法（Tracking Method）と、１ビットのサイズを有する反射率（Reflectivity）と、１ビットのサイズを有するリザーブドエリア（Reserved Area）と、属性を示す２ビットのサイズを有するエリアタイプ（Area type）と、１ビットのサイズを有するデータタイプ（Data Type）と、１ビットのサイズを有するレイヤー番号（Layer Number）とを含んでいる。
【０１００９】
エリアタイプは、当該エリアタイプを含む物理セクタの属性を示している。具体的には、例えば、“００ｂ”が記録されていれば、物理セクタがデータエリア属性であることを示し、“０１ｂ”が記録されていれば、物理セクタがリードインエリア属性であることを示し、“１０ｂ”が記録されていれば、物理セクタがリードアウトエリア属性であることを示し、“１１ｂ”が記録されていれば、物理セクタがミドルエリア属性であることを示す。
【０１１０】
続いて、図６から図８を参照して、ＲＭＡ１０３（１１３）に記録されるＲＭＤの具体的なデータ構造について説明する。ここに、図６は、ＲＭＡ１０３（１１３）に記録されるＲＭＤのデータ構造を概念的に示すデータ構造図であり、図７は、ＲＭＤを構成するフィールド毎のデータ構造を、フォーマット２及びフォーマット３の夫々について概念的に示すデータ構造図であり、図８は、フォーマット３のＲＭＤのフィールド３のデータ構造を示すデータ構造図である。尚、以下の説明では、説明の簡略化のために、ＲＭＡ１０３について説明するが、ＲＭＡ１１３についても同様のデータ構造を有していてもよいことは言うまでもない。
【０１１１】
図６に示すように、ＲＭＡ１０３は、５つのＲＭＡセグメント（＃１から＃５）に分割される。各ＲＭＡセグメント（＃１から＃５）には、２８個のＲＭＤセット（＃１から＃２８）を記録することができる。各ＲＭＤセット（＃１から＃２８）には、夫々が３２ＫＢのサイズを有する５つのＲＭＤブロックを記録することができる。各ＲＭＤセット（＃１から＃２８）に記録される５つのＲＭＤブロックは、一部のフィールドを除いて同一の内容を有している。言い換えれば、同一の内容を示す５つのＲＭＤブロックが、重複的に一つのＲＭＤセットに記録される。各ＲＭＤブロックは、２ＫＢのサイズを有するリンキングロスエリア（Linking Loss Area）と、夫々が２ＫＢのサイズを有する１５個のフィールド（１から１４）を含んでいる。
【０１１２】
図７に示すように、本参考例に係る光ディスク１００は、フォーマット２ＲＭＤ（Format 2 RMD）とフォーマット３ＲＭＤ（Format 3 RMD）とを、ＲＭＡ１０３に記録する。フォーマット２ＲＭＤは、有効な（言い換えれば、最新の）フォーマット３ＲＭＤの位置を示すポインタの機能を有しており、フォーマット３ＲＭＤは、光ディスク１００におけるデータの記録を管理するための情報が実際に含まれる。
【０１１３】
具体的には、図８に示すように、フォーマット２ＲＭＤは、リンキングロスエリアと、共通情報（Common Information）と、ＲＭＤセットへのポインタ（Pointer to RMD Set）と、リザーブドエリアとを含んでいる。
【０１１４】
フォーマット３ＲＭＤは、リンキングロスエリアと、共通情報と、ＯＰＣ関連情報（Optimum Power Control Related Information）と、ユーザ固有データ（User Specific Data）と、記録ステータス情報（Recording Status Information）と、ディフェクトステータスビットマップ（Defect Status Bitmap）と、ドライブ固有情報（Drive Specific Information）と、ディスクテスティングエリア情報（Disc Testing Area Information）とを含んでいる。
【０１１５】
フォーマット２ＲＭＤは、ＲＭＤセットへのポインタにより、有効なフォーマット３ＲＭＤの位置を示すため、各ＲＭＡセグメントの先頭のＲＭＤセット＃１に記録され、フォーマット３ＲＭＤは、各ＲＭＡセグメントの先頭のＲＭＤセット＃１以外のＲＭＤセット（＃２から＃２８）に記録される。
【０１１６】
具体的には、ブランクな光ディスク１００に対して例えば通常フォーマット処理或いはクイックフォーマット処理を施すと、ＲＭＡセグメント＃１の先頭のＲＭＤセット＃１以外のＲＭＤセット＃２（或いは、ＲＭＤセット＃３から＃２８）に、フォーマット３ＲＭＤが記録される。そして、フォーマット３ＲＭＤが記録される位置をポイントするためのフォーマット２ＲＭＤが、ＲＭＡセグメント＃１の先頭のＲＭＤセット＃１に記録される。
【０１１７】
データエリア１０５（１１５）へのデータの記録が進むにつれて、フォーマット３ＲＭＤの更新が行われる。フォーマット３ＲＭＤは、更新されるたびに或いは所定のタイミングで、同じＲＭＤセット＃２に上書き（Over Write）される。上書きが何度も行われるうちに、書換回数の上限を超えた上書きの影響で或いは傷や汚れ等の影響で、読込エラーが発生するようになる。そして、ＲＭＤセット＃２に含まれる５つのＲＭＤブロックのうち、複数のＲＭＤブロックでフォーマット３ＲＭＤを読み込むことができなくなった場合には、ＲＭＤセット＃２以外のＲＭＤセット＃３に、新たにフォーマット３ＲＭＤが記録される。この場合、フォーマット２ＲＭＤについても、フォーマット３ＲＭＤが記録される位置が変更したことに伴って更新され、ＲＭＤセット＃１に上書きされる。以降、このような動作が、ＲＭＤセット＃３から＃２８についても行われる。そして、ＲＭＡセグメント＃１の全てのＲＭＤセットについてフォーマット３ＲＭＤを読み込むことができないと判断された場合には、ＲＭＡセグメント＃２のＲＭＤセット＃２にフォーマット３ＲＭＤを新たに記録し、ＲＭＡセグメント＃２のＲＭＤセット＃１にフォーマット２ＲＭＤを新たに記録する。以降、このような動作がＲＭＡセグメント＃２から＃５についても行われる。
【０１１８】
また、ＲＭＡセグメント＃１のＲＭＤセット＃１に含まれる５つのＲＭＤブロックのうち、複数のＲＭＤブロックでフォーマット２ＲＭＤを読み込むことができなくなった場合には、ＲＭＡセグメント＃２を利用して、フォーマット２ＲＭＤ及びフォーマット３ＲＭＤを記録する。この場合、ＲＭＡセグメント＃１のＲＭＤセット＃２から＃２８のいずれかからフォーマット３ＲＭＤを読み込むことができたとしても、次のＲＭＡセグメント＃２を利用して、フォーマット２ＲＭＤ及びフォーマット３ＲＭＤを記録する。
【０１１９】
続いて、図８に示すように、フォーマット３ＲＭＤのフィールド３に記録される記録ステータス情報は、バイトポジション“０”にフォーマットオペレーションコード（Format Operation Code）と、バイトポジション“２から５”にフォーマット情報＃１（Format Information 1）と、バイトポジション“６から９”にフォーマット情報＃２（Format Information 2）と、バイトポジション“２５６から２５７”にラストＲＺｏｎｅ番号（Last RZone Number）と、バイトポジション“２５８から２６１”にＲＺｏｎｅの開始セクタ番号（Start sector number of RZone）と、バイトポジション“２６２から２６５”にＲＺｏｎｅの終了セクタ番号（End sector number of RZone）と、バイトポジション“５１２から５１５”にＬ０層のレイヤージャンプアドレス（Layer Jump address on Layer 0）と、バイトポジション“５１６から５１９”に最終記録アドレス（Last recorded address）と、バイトポジション“５２０から５２３”にＬ０層の前回レイヤージャンプアドレス（Previous Layer jump address on Layer 0）と、バイトポジション“５２４から５２５”にジャンプインターバル（Jump interval）と、バイトポジション“５２８から５３１”であるアドレス記録エリア１０３１にＬ０層のフォーマットエリアの最外周アドレス（Outermost address of the formatted area on Layer 0）と、バイトポジション“５３２から５３５”であるアドレス記録エリア１０３２にＬ１層の最内周フォーマットエリアの最外周アドレス（Outermost address of the innermost-formatted area on Layer 1）と、バイトポジション“５３６から５３９”にＬ１層の最内周記録済エリアの最外周アドレス（Outermost address of the innermost-recorded area on Layer 1）と、リザーブドエリアとを含んでいる。
【０１２０】
ここで、図９を参照して、アドレス記録エリア１０３１に記録されるＬ０層のフォーマットエリアの最外周アドレスと、アドレス記録エリア１０３２に記録されるＬ１層の最内周フォーマットエリアの最外周アドレスとの夫々が示す具体的な位置について説明する。ここに、図９は、アドレス記録エリア１０３１に記録されるＬ０層のフォーマットエリアの最外周アドレスと、アドレス記録エリア１０３２に記録されるＬ１層の最内周フォーマットエリアの最外周アドレスとの夫々が示す具体的な位置を示す説明図である。
【０１２１】
図９（ａ）に示すように、アドレス記録エリア１０３１に記録されるＬ０層のフォーマットエリアの最外周アドレスは、アドレスＡＤ０を示す。より具体的には、データエリア属性が付与された連続するＬ０層の記録領域であって、且つデータエリア１０５の最内周側の端部（言い換えれば、光ディスク１００の最内周側）に最も近接する記録領域であるエリア１０５ａの、外周側の端部のアドレスＡＤ０が、Ｌ０層のフォーマットエリアの最外周アドレスとして、フォーマット３ＲＭＤのフィールド３のアドレス記録エリア１０３１に記録される。つまり、アドレスＡＤ０よりも内周側のデータエリア１０５（特に、リードインエリア１０２やリードアウトエリア１１８を含まない、データを記録可能なエリア）の属性は、データエリア属性となっている。
【０１２２】
この場合、光ディスク１００は、オポジットトラックパス方式を採用していることから、Ｌ０層におけるアドレスは、内周側から外周側に向かって増加する。従って、エリア１０５ａの最大アドレスが、Ｌ０層のフォーマットエリアの最外周アドレスとして、アドレス記録エリア１０３１に記録される。
【０１２３】
同様に、アドレス記録エリア１０３２に記録されるＬ１層の最内周フォーマットエリアの最外周アドレスは、アドレスＡＤ１を示す。より具体的には、データエリア属性が付与された連続するＬ１層の記録領域であって、且つデータエリア１１５の最内周側の端部（言い換えれば、光ディスク１００の最内周側）に最も近接する記録領域であるエリア１１５ａの、外周側の端部のアドレスＡＤ１が、Ｌ１層の最内周フォーマットエリアの最外周アドレスとして、フォーマット３ＲＭＤのフィールド３のアドレス記録エリア１０３２に記録される。つまり、アドレスＡＤ１よりも内周側のデータエリア１１５（特に、リードインエリア１０２やリードアウトエリア１１８を含まない、データを記録可能なエリア）の属性は、データエリア属性となっている。
【０１２４】
この場合、光ディスク１００は、オポジットトラックパス方式を採用していることから、Ｌ１層におけるアドレスは、内周側から外周側に向かって減少する。従って、エリア１１５ａの最小アドレスが、Ｌ１層の最内周フォーマットエリアの最外周アドレスとして、アドレス記録エリア１０３２に記録される。
【０１２５】
特に本参考例においては、アドレス記録エリア１０３１には、光ディスク１００にフォーマット処理がなされた後であっても、データエリア属性が付与された連続するＬ０層の記録領域であって、且つデータエリア１０５の最内周側の端部に最も近接する記録領域であるエリア１０５ａの、外周側の端部のアドレスＡＤ０が記録される。より具体的には、光ディスク１００にフォーマット処理がなされることによって、エリア１０５ａに記録されたデータが論理的に消去された状態になった後であっても、エリア１０５ａが物理的に存在している限りは、エリア１０５ａの最外周側の端部のアドレスが記録される。つまり、アドレス記録エリア１０３１には、データエリア属性が付与され且つ光ディスク１００上に物理的に存在する連続したＬ０層の記録領域であって、データ記録エリア１０５の最内周側の端部に最も近接する記録領域の最外周側の端部のアドレスが記録される。
【０１２６】
同様に、アドレス記録エリア１０３２には、光ディスク１００にフォーマット処理がなされた後であっても、データエリア属性が付与された連続するＬ１層の記録領域であって、且つデータエリア１１５の最内周側の端部に最も近接する記録領域であるエリア１１５ａの、外周側の端部のアドレスＡＤ１が記録される。より具体的には、光ディスク１００にフォーマット処理がなされることによって、エリア１１５ａに記録されたデータが論理的に消去された状態になった後であっても、エリア１１５ａが物理的に存在している限りは、エリア１１５ａの最外周側の端部のアドレスが記録される。つまり、つまり、アドレス記録エリア１０３２には、データエリア属性が付与され且つ情報記録媒体上に物理的に存在する連続したＬ１層の記録領域であって、データ記録エリア１１５の最内周側の端部に最も近接する記録領域の最外周側の端部のアドレスが記録される。
【０１２７】
また、図９（ｂ）に示すように、データエリア属性が付与された連続するＬ０層の記録領域であるエリア１０５ａ及び１０５ｂが存在する場合もありえる。この場合、エリア１０５ａ及び１０５ｂのうち、データエリア１０５の最内周側の端部に最も近接する記録領域であるエリア１０５ａの外周側の端部のアドレスＡＤ０が、Ｌ０層のフォーマットエリアの最外周アドレスとして、フォーマット３ＲＭＤのフィールド３のアドレス記録エリア１０３１に記録される。同様に、データエリア属性が付与された連続するＬ１層の記録領域であるエリア１１５ａ及び１１５ｂが存在する場合もありえる。この場合、エリア１１５ａ及び１１５ｂのうち、データエリア１１５の最内周側の端部に最も近接する記録領域であるエリア１１５ａの外周側の端部のアドレスＡＤ１が、Ｌ１層の最内周フォーマットエリアの最外周アドレスとして、フォーマット３ＲＭＤのフィールド３のアドレス記録エリア１０３２に記録される。
【０１２８】
尚、「データエリア属性が付与された連続する記録領域」とは、データエリア属性以外の属性が付与されていない一連の記録領域を意味している。つまり、図９（ａ）及び図９（ｂ）において、エリア１０５ａや、エリア１０５ｂや、エリア１１５ａや、エリア１１５ｂの夫々は、データエリア属性以外の属性が付与されていない一連の記録領域である。他方で、エリア１０５ａとエリア１０５ｂとの間には、データエリア属性以外のミドルエリア属性が付与されたシフテッドミドルエリア１０６が形成されていることから、エリア１０５ａとエリア１０５ｂとを組み合わせたエリアは、「データエリア属性が付与された連続する記録領域」ではない。
【０１２９】
また、アドレス記録エリア１０３１及び１０３２には、光ディスク１００にフォーマット処理がなされた後であっても、データエリア属性が付与された連続する記録領域が光ディスク１００上に存在している限りは、データエリア属性が付与された連続する記録領域であって且つデータ記録エリアの最内周側の端部に最も近接する記録領域の最外周側の端部のアドレスが記録される。より具体的には、情報記録媒体にフォーマット処理がなされることによって、情報記録媒体上に記録されたデータが論理的に消去された状態になった後であっても、データエリア属性が付与された連続する記録領域が情報記録媒体上に物理的に存在している限りは、データエリア属性が付与された連続する記録領域であって且つデータ記録エリアの最内周側の端部に最も近接する記録領域の最外周側の端部のアドレスが記録される。
【０１３０】
（情報記録再生装置）
続いて、図１０を参照して、情報記録装置に係る参考例としての情報記録再生装置２００について説明する。ここに、図１０は、本参考例に係る情報記録再生装置２００の基本的な構成を概念的に示すブロック図である。尚、情報記録再生装置２００は、光ディスク１００にデータを記録する機能と、光ディスク１００に記録されたデータを再生する機能とを備える。
【０１３１】
図１０に示すように、情報記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。
【０１３２】
ディスクドライブ３００は、光ディスク１００、スピンドルモータ３５１、光ピックアップ３５２、信号記録再生手段３５３、ＣＰＵ（ドライブ制御手段）３５４、メモリ３５５データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。
【０１３３】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。
【０１３４】
光ピックアップ３５２は、光ディスク１００への記録再生を行うために、例えば図示しない半導体レーザ素子と、コリメータレンズ及び対物レンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。
【０１３５】
信号記録再生手段３５３は、ＣＰＵ３５４と共に「第１記録手段」、「第２記録手段」及び「フォーマット手段」の一具体例を構成しており、ＣＰＵ３５４の制御を受けながらスピンドルモータ３５１と光ピックアップ３５２を制御することで、光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、例えば駆動パルスを生成し、光ピックアップ１００内に設けられた半導体レーザ素子１１１を駆動する。ヘッドアンプは、光ピックアップ３５２の出力信号、即ち、光ビームの反射光を増幅し、該増幅した信号を出力する。
【０１３６】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。
【０１３７】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。
【０１３８】
データ入出力制御手段３０６は、ディスクドライブ３００に対する外部からのデータ入出力を制御し、メモリ３５５上のデータバッファへの格納及び取り出しを行う。ディスクドライブ３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。
【０１３９】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、ディスクドライブ３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。
【０１４０】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。
【０１４１】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。
【０１４２】
そして、本参考例では、データエリア１０５（１１５）に、エリアタイプにて示される属性を付与しながら、各種コンテンツを含むユーザデータを記録し、該ユーザデータの記録に伴って、Ｌ０層のフォーマットエリアの最外周アドレスや、Ｌ１層の最内周フォーマットエリアの最外周アドレスが、フォーマット３ＲＭＤのフィールド３のアドレス記録エリア１０３１や１０３２に記録される。
【０１４３】
そして、アドレス記録エリア１０３１に記録されるＬ０層のフォーマットエリアの最外周アドレスや、アドレス記録エリア１０３２に記録されるＬ１層の最内周フォーマットエリアの最外周アドレスを参照しながら、「制御手段」の一具体例を構成するＣＰＵ３５４の制御の下に、通常フォーマット処理やクイックフォーマット処理が施される。
【０１４４】
ここで、図１１及び図１２を参照して、Ｌ０層のフォーマットエリアの最外周アドレスや、Ｌ１層の最内周フォーマットエリアの最外周アドレスを参照しながら行われる通常フォーマット処理やクイックフォーマット処理について、より具体的に説明する。ここに、図１１は、クイックフォーマット処理が施された後の光ディスクの一のデータ構造を概念的に示す説明図であり、図１２は、クイックフォーマット処理が施された後の光ディスクの他のデータ構造を概念的に示す説明図である。
【０１４５】
図１１（ａ）に示すように、Ｌ０層に一定のサイズのデータを記録した後にシフテッドミドルエリア１０６を形成したものとする。その後、ホストコンピュータ４００等から、フォーマットサイズが指定された上でフォーマット処理を施す旨の命令がなされたものとする。
【０１４６】
この場合、Ｌ０層のフォーマットエリアの最外周アドレスが示す位置よりも内周側の記録領域の属性は、データエリア属性であることを認識することができる。このため、Ｌ０層のフォーマットエリアの最外周アドレスが示す位置よりも外周側の記録領域に対してクイックフォーマット処理を施せばよい。これにより、図１１（ｂ）に示すように、ホストコンピュータ４００等から要求されたフォーマットサイズの全てに対してクイックフォーマット処理を施す必要がなくなる。つまり、既にデータエリア属性が付与されている記録領域にフォーマット処理を施す必要がなくなる。
【０１４７】
また、図１２（ａ）に示すように、Ｌ０層及びＬ１層の夫々にデータが記録されている場合も同様のことが言える。具体的には、図１２（ｂ）に示すように、Ｌ０層のフォーマットエリアの最外周アドレスが示す位置よりも外周側の記録領域、及びＬ１層の最内周フォーマットエリアの最外周アドレスが示す位置よりも外周側の記録領域の夫々にクイックフォーマット処理を施せばよい。
【０１４８】
このように、アドレス記録エリア１０３１及び１０３２を備えているがゆえに、例えば、Ｌ０層のフォーマットエリアの最外周アドレス及びＬ１層の最内周フォーマットエリアの最外周アドレスよりも内周側の記録領域には、既にデータエリア属性が付与されていることを好適に認識することができる。或いは、例えば、Ｌ０層のフォーマットエリアの最外周アドレス及びＬ１層の最内周フォーマットエリアの最外周アドレスよりも内周側の記録領域には、例えばミドルエリア属性が付与された記録領域が存在しないことを好適に認識することができる。従って、Ｌ０層のフォーマットエリアの最外周アドレス及びＬ１層の最内周フォーマットエリアの最外周アドレスに跨る一定の記録領域に対してクイックフォーマット処理を施す場合には、Ｌ０層のフォーマットエリアの最外周アドレス及びＬ１層の最内周フォーマットエリアの最外周アドレスが示す位置よりも外周側の記録領域に対してフォーマット処理を施せば足りる。また、クイックフォーマット処理に限らずに、通常フォーマット処理を施す場合にも同様に、Ｌ０層のフォーマットエリアの最外周アドレス及びＬ１層の最内周フォーマットエリアの最外周アドレスが示す位置よりも外周側の記録領域に対してフォーマット処理を施せば足りる。これにより、フォーマット処理が施される必要のない記録領域にまでフォーマット処理を施す必要がなくなり、その結果、フォーマット処理に要する時間を短縮することができる。つまり、効率的なフォーマット処理を施すことができる。
【０１４９】
尚、上述の参考例では、２層型の光ディスク１００を用いて説明を進めたが、２層型の光ディスク１００に限らず、単一の記録層を有する１層型の光ディスクや、３つ以上の記録層を有する光ディスクであっても、上述した各種構成を採用することで、上述した各種利益を享受することができる。
【０１５０】
また、情報記録再生装置２００は、Ｌ０層のフォーマットエリアの最外周アドレス及びＬ１層の最内周フォーマットエリアの最外周アドレスをアドレス記録エリア１０３１及び１０３２に記録することに加えて又は代えて、例えば情報記録再生装置２００のメモリ３５５或いは３６０中に格納するように構成してもよい。このように構成しても、フォーマット処理を施す際にメモリ３５５或いは３６０中に格納されたアドレスを参照することで、上述した各種利益を享受することができる。更に、アドレス記録エリア１０３１や１０３２を設けていない光ディスクにデータを記録する場合であっても、上述した各種利益を享受することができる。
【０１５１】
また、上述の参考例では、情報記録媒体の一例として光ディスク１００及び情報記録装置の一例として光ディスク１００に係るレコーダについて説明したが、光ディスク及びそのレコーダに限られるものではなく、他の高密度記録或いは高転送レート対応の各種情報記録媒体並びにそのレコーダにも適用可能である。
【０１５２】
本発明は、上述した参考例に限られるものではなく、請求の範囲及び明細書全体から読み取れる発明の要旨或いは思想に反しない範囲で適宜変更可能であり、そのような変更を伴なう情報記録装置及び方法もまた本発明の技術的範囲に含まれるものである。
【産業上の利用可能性】
【０１５３】
本発明に係る情報記録装置及び方法は、例えば、ＤＶＤレコーダ等の情報記録装置等に利用可能である。また、例えば民生用或いは業務用の各種コンピュータ機器に搭載される又は各種コンピュータ機器に接続可能な情報記録装置等にも利用可能である。
【図１】
0004828548.tif 000002
【図２】
0004828548.tif 000003
【図３】
0004828548.tif 000004
【図４】
0004828548.tif 000005
【図５】
0004828548.tif 000006
【図６】
0004828548.tif 000007
【図７】
0004828548.tif 000008
【図８】
0004828548.tif 000009
【図９】
0004828548.tif 000010
【図１０】
0004828548.tif 000011
【図１１】
0004828548.tif 000012
【図１２】
0004828548.tif 000013